(57)【特許請求の範囲】
【請求項１】
浴室の壁面に取り付けられる浴室用カウンタであって、
天板と、
浴室の壁面に取り付けられ、前記天板を支持する支持材と、を備え、
前記支持材は、前記天板の全ての側端面が浴室の壁面および浴槽から水平方向に離間するように、前記支持材の先端で前記天板の下面を支持するよう構成され、かつ、前記天板よりも後方にある支持材の横幅は、前記天板の横幅よりも小さくなるよう構成され、
さらに、前記天板の下方に存在する前記支持材の横幅は、前記天板よりも後方にある支持材の横幅よりも大きくなるよう構成され、
前記支持材は、
浴室の壁面に取り付けられると共に、前記天板の後端よりも前方まで延びる、前記天板の横幅よりも小さい支持材本体に、前記支持材本体とは別体に設けられ、前記支持材による横幅方向における前記天板を支持する幅を拡張させる、前記支持材本体の横幅方向における側面に取り付けられる支持幅拡張部材を固定して構成されていることを特徴とする浴室用カウンタ。
【請求項２】
前記支持幅拡張部材は、少なくとも２つ設けられ、
前記支持材は、
前記支持材本体が、横幅方向における前記天板の中央寄りに配置されるとともに、横幅方向における前記支持材本体の両側面のそれぞれに前記支持幅拡張部材を組付けて構成されていることを特徴とする請求項１記載の浴室用カウンタ。
【請求項３】
前記支持幅拡張部材の下面は、前記支持材本体に向かって下降する傾斜面を有することを特徴とする請求項１または２記載の浴室用カウンタ。
【発明の詳細な説明】
【技術分野】
【０００１】
本発明の態様は、一般的に、浴室の壁に取り付けられる浴室用カウンタに関する。
【背景技術】
【０００２】
家庭の浴室において身体を洗う作業を楽にするために、浴室用カウンタが浴室の壁に取り付けられている。使用者は、浴室用カウンタを利用することにより洗面器を洗い場よりも上方に置くことができる。
【０００３】
ここで、トップ部材、ボディ部材、及びブラケットの３つの部材で構成されたカウンターがある（特許文献１）。特許文献１に記載されたカウンターでは、ブラケットは、壁面へ固定され、トップ部材を支持している。トップ部材は、トップ面よりも一段低く形成された溝形成部を後方側に有しており、溝形成部の上面が排水溝の底面となる（特許文献１、図５参照）。
【０００４】
しかし、特許文献１に記載されたカウンターでは、トップ部材と壁面とが成す角部において入隅が形成されてしまう。特許文献１のカウンターでは、排水溝の前後方向の幅が比較的狭いため、入隅を掃除することは困難であり、入隅にこびりついた水垢や石鹸カスを落とすことは容易ではない。したがって、入隅の掃除には手間がかかる。
【０００５】
これに対して、カウンタが浴槽および壁面から離れて設けられたカウンタ付き浴室がある（特許文献２）。特許文献２に記載されたカウンタ付き浴室では、支柱がカウンタを長手方向に貫通しカウンタを支持している。しかし、特許文献２に記載されたカウンタ付き浴室であっても、支柱がカウンタを貫通しているため、カウンタの側端面と支柱とが成す角部において入隅が形成される。そのため、入隅にこびりついた水垢や石鹸カスを落とすことは容易ではなく、入隅の掃除に手間がかかるという点においては、改善の余地がある。
【先行技術文献】
【特許文献】
【０００６】
【特許文献１】特開２０１１−６７３４０号公報
【特許文献２】特開２０１３−１７９９８７号公報
【発明の概要】
【発明が解決しようとする課題】
【０００７】
本発明は、かかる課題の認識に基づいてなされたものであり、清掃性を向上させることができる浴室用カウンタを提供することを目的とする。
【課題を解決するための手段】
【０００８】
第１の発明は、浴室の壁面に取り付けられる浴室用カウンタであって、天板と、浴室の壁面に取り付けられ、前記天板を支持する支持材と、を備え、前記支持材は、前記天板の全ての側端面が浴室の壁面および浴槽から水平方向に離間するように、前記支持材の先端で前記天板の下面を支持するよう構成され、かつ、前記天板よりも後方にある支持材の横幅は、前記天板の横幅よりも小さくなるよう構成され、さらに、前記天板の下方に存在する前記支持材の横幅は、前記天板よりも後方にある支持材の横幅よりも大きくなるよう構成され、前記支持材は、浴室の壁面に取り付けられると共に、前記天板の後端よりも前方まで延びる、前記天板の横幅よりも小さい支持材本体に、前記支持材本体とは別体に設けられ、前記支持材による横幅方向における前記天板を支持する幅を拡張させる、前記支持材本体の横幅方向における側面に取り付けられる支持幅拡張部材を固定して構成されていることを特徴とする。
【０００９】
この浴室用カウンタによれば、天板の全ての側端面が浴槽および壁面から水平方向に離間しているため、天板と浴槽との間および天板と壁面との間において入隅が形成されることを抑えることができる。
これにより、水が入隅に溜まることを抑え、水垢や石鹸カスなどによる汚れが入隅に発生することを抑えることができる。また、入隅が形成されることを抑えることができるため、例えばシリコーンなどのシール材を入隅に塗布する必要がなく、浴室用カウンタの見栄えはより良好である。
また、天板の全ての側端面が浴槽および壁面から水平方向に離間しているため、例えば清掃者は、汚れが付着した天板の側端面を端から端まで洗剤およびスポンジなどの清掃用具でより簡単に擦り洗いすることができる。
また、天板よりも後方にある支持材の横幅は、天板の横幅よりも小さくなるよう構成されているため、清掃の手間を軽減させられる。ここで、天板よりも後方にある、清掃の手間を低減できる支持材の横幅で天板を支持しようとすると、横幅方向において、支持されていない天板の端部が撓みやすくなる。特に、そのような天板の端部に重いものが載置された場合には、撓みが生じやすい。しかし、本発明では、支持材は、浴室の壁面に取り付られる、天板の横幅よりも小さい支持材本体に、支持材本体とは別体に設けられ、支持材による横幅方向における天板を支持する幅を拡張させる支持幅拡張部材を固定して構成されているため、横幅方向において支持材本体により支持されない部分だけの支持幅の拡張を行えば良いため、支持幅拡張部材自体をコンパクトに抑えることができ、施工性が良い。
【００１０】
また、本発明では、前記支持幅拡張部材は、少なくとも２つ設けられ、前記支持材は、  前記支持材本体が、横幅方向における前記天板の中央寄りに配置されるとともに、横幅方向における前記支持材本体の両側面のそれぞれに前記支持幅拡張部材を固定して構成されていることが好ましい。
【００１１】
これよれば、支持材本体を、横幅方向における天板の中央寄りに配置し、支持材本体に支持されない天板の左右両端部をそれぞれ異なる支持幅拡張部材によって支持するため、支持幅拡張部材自体をよりコンパクトに抑えることができ、施工性を向上させることができる。さらに、一方の支持幅拡張部材が経年劣化等により破損した場合であっても、破損した支持幅拡張部材のみを交換すれば良いため、補修費の低減を図れる。
【００１２】
また、本発明では、前記支持幅拡張部材の下面は、前記支持材本体に向かって下降する傾斜面を有すること前記支持幅拡張部材の下面は、前記支持材本体に向かって下降する傾斜面を有することが好ましい。
【００１３】
これよれば、支持幅拡張部材の下面は、支持材本体に向かって下降する傾斜面を有しているため、水滴が支持幅拡張部材の下面に残留しにくくなり、支持幅拡張部材の下面が汚れづらくなる。したがって、支持材の横幅方向における支持幅を拡張する場合であっても、清掃の手間を低減させることができる。
【発明の効果】
【００１４】
本発明の浴室用カウンタによれば、清掃性を向上させることができる。
【図面の簡単な説明】
【００１５】
【図１】第１実施形態にかかる浴室用カウンタが設置された浴室を表す模式的斜視図。
【図２】第１実施形態にかかる浴室用カウンタを表す模式的平面図。
【図３】第１実施形態にかかる浴室用カウンタを表す模式的平面図。
【図４】第１実施形態にかかる浴室用カウンタを表す模式的平面図。
【図５】第１実施形態にかかる浴室用カウンタを表す模式的平面図。
【図６】第１実施形態の天板の側端面に付着した汚れを表す模式的平面図。
【図７】天板の手入れ方法の一例を例示する模式的平面図。
【発明を実施するための形態】
【００１６】
以下、本発明の実施の形態について図面を参照しつつ説明する。なお、各図面中、同様の構成要素には同一の符号を付して詳細な説明は適宜省略する。  
図１は、第１実施形態にかかる浴室用カウンタ３００が設置された浴室を表す模式的斜視図である。  
図２は、第１実施形態にかかる浴室用カウンタを表す模式的平面図である。  
図２は、図１に表した矢印Ａ１の方向にみたときの浴室用カウンタを表す模式的平面図である。
【００１７】
図１および図２に表したように、第１実施形態にかかる浴室用カウンタ３００は、天板３１０と、支持材３２０と、を備え、浴室１０の洗い場１００の第１の壁面１１０に取り付けられている。第１の壁面１１０は、浴槽２００と、浴槽２００と対向する第２の壁面１２０と、の間に設けられ、浴槽２００および第２の壁面１２０と接続されている。
【００１８】
第１の壁面１１０には、水栓４００および鏡５００が取り付けられている。水栓４００は、例えば天板３１０の上に載置された洗面器に水を供給する。本願明細書において、「水」には、冷水のみならず、加温されたお湯が含まれる。
【００１９】
支持材３２０は、第１の壁面１１０に取り付けられている。より具体的には、支持材３２０の一端は、第１の壁面１１０に固定されている。これにより、支持材３２０と第１の壁面１１０との間に入隅３９１が形成されている。
【００２０】
本願明細書において「入隅」とは、複数の面が互いに接続された箇所の内側の部分をいうものとする。あるいは、本願明細書において「入隅」とは、複数の面が互いに接続された箇所の凹んだ部分をいうものとする。
【００２１】
支持材３２０の他端は、天板３１０の下面３１７を支持している。
【００２２】
支持材３２０は、上面３２１と、下面３２２と、を有する。上面３２１および下面３２２は、天板３１０の下面３１７から第１の壁面１１０に向けて下方に傾斜している。
【００２３】
本願明細書において、「下方」とは、浴室用カウンタ３００が第１の壁面１１０に取り付けられた状態において、鉛直方向であって天板３１０からみて支持材３２０の側の方向をいう。本願明細書において、「上方」とは、「下方」とは反対の方向をいう。本願明細書において、「前方」とは、浴室用カウンタ３００が第１の壁面１１０に取り付けられた状態において、第１の壁面１１０に垂直な方向であって第１の壁面１１０からみて浴室カウンタ３００の側の方向をいう。本願明細書において、「後方」とは、「前方」とは反対の方向をいう。
【００２４】
支持材３２０の上面３２１は、第１の面３２１ａと、第２の面３２１ｂと、中央曲面３２１ｃと、を有している。第２の面３２１ｂは、第１の面３２１ａと第１の壁面１１０との間に設けられている。中央曲面３２１ｃは、第１の面３２１ａと第２の面３２１ｂとの間に設けられている。中央曲面３２１ｃは、凹状に湾曲している。
【００２５】
第１実施形態において、支持材３２０の上面３２１および支持材３２０の下面３２２は、前述したように、天板３１０の下面３１７から第１の壁面１１０に向けて下方に傾斜している。これにより、支持材３２０の上面３２１において、第１の壁面１１０に当接する位置は、天板３１０の下面３１７よりも低い。そのため、天板３１０を使用する使用者の目線では、入隅３９１は、天板３１０の死角に入る。  
したがって、入隅３９１に、水や汚れが溜まったとしても、使用者は、入隅３９１を視認することができない。そのため、入隅の汚れを使用者にさらすことが抑制される。これにより、浴室１０の美観を良くすることができる。
【００２６】
また、前述したように、支持材３２０の上面３２１および支持材３２０の下面３２２が、天板３１０の下面３１７から、第１の壁面１１０に向けて下方に傾斜している。これにより、使用者の目線から支持材３２０自体を視認できない。天板３１０が浮いているように使用者に認識させることができる。これにより、浴室１０の美観を向上させることができる。
【００２７】
図３は、第１実施形態にかかる浴室用カウンタを表す模式的平面図である。  
図４は、第１実施形態にかかる浴室用カウンタを表す模式的平面図である。  
図５は、第１実施形態にかかる浴室用カウンタを表す模式的平面図である。  
図３は、図１に表した矢印Ａ２の方向にみたときの浴室用カウンタを表す模式的平面図である。図４は、図１に表した矢印Ａ３の方向にみたときの浴室用カウンタを表す模式的平面図である。図５は、図１に表した矢印Ａ４の方向にみたときの浴室用カウンタを表す模式的平面図である。
【００２８】
天板３１０は、第１の側端面３１１と、第２の側端面３１２と、第３の側端面３１３と、第４の側端面３１４と、上面３１６と、下面３１７と、を有し、支持材３２０により支持されている。図３および図４に表したように、第１の側端面３１１は、第１の壁面１１０と対向し、第１の壁面１１０から水平方向に離間している。第２の側端面３１２は、浴槽２００の側面２１０と対向し、浴槽２００から水平方向に離間している。第３の側端面３１３は、第２の壁面１２０と対向し、第２の壁面１２０から水平方向に離間している。第４の側端面３１４は、洗い場１００と面し、浴槽２００、第１の壁面１１０、および第２の壁面１２０から水平方向に離間している。つまり、天板３１０の全ての側端面（第１の側端面３１１、第２の側端面３１２、第３の側端面３１３、および第４の側端面３１４）は、浴槽２００、第１の壁面１１０、および第２の壁面１２０から水平方向に離間している。
【００２９】
第１の側端面３１１と第１の壁面１１０との間には、隙間Ｓ１が存在する。第１の側端面３１１と、第１の壁面１１０と、の間の距離Ｄ１は、例えば約５０ミリメートル（ｍｍ）程度である。第２の側端面３１２と浴槽２００の側面２１０との間には、隙間Ｓ２が存在する。第２の側端面３１２と、浴槽２００の側面２１０と、の間の距離Ｄ２は、例えば約７０ｍｍ程度である。第３の側端面３１３と第２の壁面１２０との間には、隙間Ｓ３が存在する。第３の側端面３１３と、第２の壁面１２０と、の間の距離Ｄ３は、例えば約７０ｍｍ程度である。
【００３０】
第１の側端面３１１、第２の側端面３１２、および第３の側端面３１３の拭き掃除をするために、距離Ｄ１〜距離Ｄ３は、より適切な距離に適宜設定されている。具体的には、距離Ｄ１〜距離Ｄ３のそれぞれは、スポンジ等の清掃用具を挿入しやすくするため、例えば約３０ｍｍ以上であることがより好ましい。また、手の甲が拭き掃除の際に第１の壁面１１０、第２の壁面１２０、および浴槽２００に当たらないようにするためには、距離Ｄ１〜距離Ｄ３のそれぞれは、例えば約５０ｍｍ以上であることがより好ましい。天板３１０が洗い場１００に比較的大きく張り出すことを抑えるため、距離Ｄ１は、３０ｍｍ以上、５０ｍｍ以下であることがより好ましい。
【００３１】
天板３１０の上面３１６は、略平坦である。例えば、使用者は、洗面器やシャンプーのボトル等を天板３１０の上面３１６に載せることができる。天板３１０の上面３１６には、排水のための傾斜が設けられていてもよい。この場合、経年によって傾斜方向が変わらないよう、天板３１０の上面３１６の前方側に下降傾斜させておくことが好ましい。
【００３２】
図３および図４に表したように、支持材３２０のうちで天板３１０と第１の壁面１１０との間に存在する部分の横方向の長さ（横幅）Ｄ５は、天板３１０の横方向の長さ（横幅）Ｄ４よりも短い。  
これにより、水がかかりやすい支持材３２０の上面３２１の面積を小さく抑えることで、支持材３２０の上面３２１に水が溜まる面積を小さく抑えることができる。これにより、支持材３２０において水垢や石鹸カスなどによる汚れが発生する面積を抑えることができるため、支持材３２０を清掃する手間を低減することができる。
【００３３】
本願明細書において「横方向」とは、水平方向であって壁面１１０に平行な方向をいう。
【００３４】
図５に表したように、天板３１０は、例えば、ボルト４５１で支持材３２０に取り付けられる。支持材３２０は、例えば、ボルト４５２で第１の壁面１１０に取り付けられる。
【００３５】
ここから、図２〜図５を参照しながら、支持材３２０について詳しく説明する。図４に示すように、支持材３２０は、天板３１０の横幅Ｄ４よりも小さい横幅Ｄ５を有する支持材本体３２０ａと、支持材本体３２０ａの両側面３２０ａｆのそれぞれに固定された支持幅拡張部材３２０ｂを有する。支持材本体３２０ａおよび支持幅拡張部材３２０ｂは別体に形成されている。
【００３６】
支持幅拡張部材３２０ｂは、支持材本体３２０ａにボルト４５３（固定部材）で側方から固定され、また、天板３１０は、支持幅拡張部材３２０ｂに下方からボルト４５１で固定される。支持材本体３２０ａは、天板３１０の左右方向（横幅方向）における略中央に配置され、支持幅拡張部材３２０ｂは、天板３１０の上面では支持されない天板３１０の左右方向（横幅方向）における両端部を支持する。すなわち、支持幅拡張部材３２０ｂは、左右方向における支持材３２０による天板３１０の支持幅をＤ５からＤ７へと拡張させている。これにより、天板３１０の左右両端に重いものが載置された際に、天板３１０が撓むことを抑制できる。
【００３７】
支持幅拡張部材３２０ｂは、金属製であり、Ｌ字状部３２０ｂｌおよびＬ字状部３２０ｂｌの一方の側面を覆うように形成されたリブ３２０ｂｒを有する。これらは一体に形成されており、リブ３２０ｂｒによって、Ｌ字状部３２０ｂｌが屈曲しづらくなるよう補強される。また、支持幅拡張部材３２０ｂの一部の下面である、リブ下面３２０ｂｆは、左右の両端側から支持材本体３２０ａに向かって下降傾斜する傾斜面として構成されている。この傾斜面は、リブ下面３２０ｂｆの少なくとも一部に設けられていれば良い。このように支持幅拡張部材３２０ｂが傾斜面を有することで、支持幅拡張部材３２０ｂに付着した水が、リブ下面３２０ｂｆに滞留しづらくなるため、リブ下面３２０ｂｆが汚れづらくなり、支持幅拡張部材３２０ｂの清掃の手間を軽減させることができる。
【００３８】
図６は、第１実施形態の天板の側端面に付着した汚れを表す模式的平面図である。  
図６は、図１に表した矢印Ａ２の方向にみたときの浴室用カウンタを表す模式的平面図である。
【００３９】
天板３１０の上面３１６には、例えば洗面器が載置される。そのため、界面活性剤を含んだ水が天板３１０の上面３１６に流れることがある。天板３１０の上面３１６に流れた水は、天板３１０の略全体の周囲から側面を伝って洗い場１００へ落下する。そのため、図６に表したように、水垢あるいは石鹸カスなどの汚れＤは、天板３１０の側端面に残留しやすい。例えば、汚れＤは、側端面の下端に残留しやすい。
【００４０】
図６は、汚れＤが第３の側端面３１３と第４の側端面３１４との間に残留した例を表している。汚れＤが残留する箇所は、第３の側端面３１３と第４の側端面３１４との間には限定されない。汚れＤは、第１の側端面３１１と、第２の側端面３１２と、第３の側端面３１３と、第４の側端面３１４と、の少なくともいずれかに残留することがある。
【００４１】
次に、天板３１０の手入れ方法について、図面を参照しつつ説明する。  
図７は、天板の手入れ方法の一例を例示する模式的平面図である。
【００４２】
例えば清掃者は、洗剤等を含ませた清掃用具Ｃで天板３１０の側端面を擦り洗いすることによって、天板３１０の側端面の下端に付着した汚れＤを落とすことができる。このとき、第１の側端面３１１と第１の壁面１１０との間の距離Ｄ１、第２の側端面３１２と浴槽２００の側面２１０との間の距離Ｄ２、および第３の側端面３１３と第２の壁面１２０との間の距離Ｄ３のそれぞれは、３０ｍｍ以上である。そのため、図７に表したように、例えば清掃者は、清掃用具Ｃを掴んだ手指Ｆを隙間Ｓ１、Ｓ２、Ｓ３に容易に差し込むことができる。
【００４３】
これにより、例えば清掃者は、天板３１０の全ての側端面を力を入れて擦り洗いすることができる。また、天板３１０の側端面に付着した汚れは、入隅に付着した汚れよりも容易に擦り落とすことができる。したがって、天板３１０の側端面の下端などに付着した水垢や石鹸カスなどの汚れＤをより簡単に落とすことができる。これにより、天板３１０の側端面にカビが発生することを抑制することができる。
【００４４】
第１実施形態においては、天板３１０の第１〜第４の側端面は平面状に形成されているが、曲面を有するように形成しても構わない。
【００４５】
また、第１実施形態においては、天板３１０を一つの部材から形成しているが、例えば、天板３１０自身に剛性を持たせるために、２つ以上の部材を積層させて天板３１０を構成しても構わない。
【００４６】
また、第１実施形態においては、支持材本体３２０ａは一体の部材で形成されていたが、例えば複数のブラケットによって支持材本体を形成しても構わない。この場合、支持材本体の「横幅」とは、最も左側に配置されたブラケットの左端から最も右側に配置されたブラケットの右端までの長さを指す。このように、複数のブラケットによって支持材本体を形成する場合であっても、支持材本体の横幅を短くすることで、清掃範囲を狭くできるため、清掃の手間を軽減させることができる。
【００４７】
また、第１実施形態においては、支持材３２０の外周をカバー等で覆って支持材３２０に汚れがつきづらくしても構わない。
【符号の説明】
【００４８】
１０：浴室
１００：洗い場
１１０：第１の壁面
１２０：第２の壁面
２００：浴槽
２１０：側面
３００：浴室用カウンタ
３１０：天板
３１１：第１の側端面
３１２：第２の側端面
３１３：第３の側端面
３１４：第４の側端面
３１６：上面
３１７：下面
３２０：支持材
３２０ａ：支持材本体
３２０ｂ：支持幅拡張部材
３２０ｂｆ：リブ下面
【図１】
0006500323.tif 000002
【図２】
0006500323.tif 000003
【図３】
0006500323.tif 000004
【図４】
0006500323.tif 000005
【図５】
0006500323.tif 000006
【図６】
0006500323.tif 000007
【図７】
0006500323.tif 000008